(57)【要約】【課題】簡単な操作によって、速やかにグリップ部に対するエクステンションバットの相対位置を所望の位置に位置決めすることができる釣竿を提供することを課題とする。【解決手段】竿本体３と、該竿本体３に装着されたリアグリップ２ｃと、該リアグリップ２ｃの竿元側に竿軸方向に沿って進退可能に装着されたエクステンションバット４と、前記リアグリップ２ｃに対する前記エクステンションバット４の相対位置を所望の位置に位置決めする位置決め機構とを備え、前記位置決め機構は、前記リアグリップ２ｃに竿軸方向に沿って設けられたガイド部と、前記ガイド部に沿ってスライド移動するように前記エクステンションバット４に保持されたスライダー２４とを備え、前記ガイド部は、竿軸方向に所定間隔を置いて設けられた複数の係合部を備え、前記スライダー２４は、係合状態と非係合状態とを取りうる被係合部を備えたことを解決手段とする。【選択図】  図２
2004261074.tif 000002
【特許請求の範囲】
【請求項１】
竿本体（３）と、該竿本体（３）に装着されたグリップ部（２）と、該グリップ部（２）の竿元側に竿軸方向に沿って進退可能に装着されたエクステンションバット（４）と、前記グリップ部（２）に対する前記エクステンションバット（４）の相対位置を所望の位置に位置決めする位置決め機構とを備えた釣竿であって、
前記位置決め機構は、前記グリップ部（２）または前記エクステンションバット（４）の一方に竿軸方向に沿って設けられたガイド部と、他方に前記ガイド部に沿ってスライド移動するように保持されたスライダー（２４）とを備え、
前記ガイド部は、竿軸方向に所定間隔を置いて設けられた複数の係合部（２５、…）を備え、前記スライダー（２４）は、いずれかの前記係合部（２５）と係合した係合状態と全ての前記係合部（２５）との係合が解かれた非係合状態とを取りうる被係合部（３１ａ）を備えたことを特徴とする釣竿。
【請求項２】
前記ガイド部は、前記グリップ部（２）に設けられ、かつ前記スライダー（２４）は、前記エクステンションバット（４）に保持されている請求項１に記載の釣竿。
【発明の詳細な説明】
【０００１】
【発明の属する技術分野】
本発明は、釣竿に関し、詳しくは釣竿のグリップ部に対するエクステンションバットの位置決め機構を備えた釣竿に関するものである。
【０００２】
【従来の技術】
図６は、従来のトラウトロッド１０１の概略構成図である。該ロッド１０１は、ロッド本体１０３と、ロッド本体１０３に外嵌装着されたグリップ１０２と、該グリップ１０２の竿元側端部に装着されたエクステンションバット１０４とを備えている。エクステンションバット１０４は、ロッド１０１を操作する際の安定性を高める部品であって、いわばロッド１０１のチューニング部品といえるものである。例えば、高いプレッシャーが要求される管理釣り場でマスの微妙なアタリをとるためには、非常に繊細なアプローチが求められ、ロッド１０１のティップ（穂先）を安定させることが重要となる。このような場合、エクステンションバット１０４を装着して釣人の肩に当ててロッド１０１を操作すると、リトリーブ時のティップのブレが効果的に抑えられるようになる。また、魚を掛けた後は、エクステンションバット１０４を肘に沿わせることで、ロッド１０１の操作がさらに容易となる。
【０００３】
ところで、エクステンションバット１０４を装着し、ロッド１０１の操作性の向上を図る場合には、エクステンションバット１０４の長さＬを、釣人の要望に合わせて調節することが必要となる。また、魚を掛けた後は、エクステンションバット１０４を肘に沿わせると、ロッド１０１の操作がさらに容易となる。
【０００４】
このため、従来のロッド１０１では、エクステンションバット１０４を着脱自在の構造としたり、ロッド１０１に対してエクステンションバット１０４を回転させることにより、エクステンションバット１０４の長さＬを調節する機構が設けられたりしていた。
【０００５】
【発明が解決しようとする課題】
しかしながら、エクステンションバットを単に着脱自在の構造とすることのみでは、エクステンションバットの長さＬを調節し、グリップに対するエクステンションバットの相対位置を所望の位置に位置決めすることができず、また、エクステンションバットを回転させて長さＬを調節する機構では、該エクステンションバットを回転させる操作が煩わしい上、前記長さＬを狙ったとおりの長さとするために時間を要していた。
【０００６】
そこで本発明は、上記従来の問題点に鑑みてなされ、簡単な操作によって、速やかにグリップ部に対するエクステンションバットの相対位置を所望の位置に位置決めすることができる釣竿を提供することを課題とする。
【０００７】
【課題を解決するための手段】
本発明の釣竿は、上記課題を解決すべくなされたものであり、竿本体と、該竿本体に装着されたグリップ部と、該グリップ部の竿元側に竿軸方向に沿って進退可能に装着されたエクステンションバットと、前記グリップ部に対する前記エクステンションバットの相対位置を所望の位置に位置決めする位置決め機構とを備えた釣竿であって、前記位置決め機構は、前記グリップ部または前記エクステンションバットの一方に竿軸方向に沿って設けられたガイド部と、他方に前記ガイド部に沿ってスライド移動するように保持されたスライダーとを備え、前記ガイド部は、竿軸方向に所定間隔を置いて設けられた複数の係合部を備え、前記スライダーは、いずれかの前記係合部と係合した係合状態と全ての前記係合部との係合が解かれた非係合状態とを取りうる被係合部を備えたことを特徴とする。
【０００８】
かかる構成によれば、スライダーの被係合部を非係合状態としながら、竿本体の竿軸方向にエクステンションバットを進退させることで、速やかにグリップ部に対するエクステンションバットの相対位置を所望の位置に設定することができる。さらに、ガイド部に設けられたいずれかの係合部とスライダーに保持された被係合部が係合することにより、設定された位置でエクステンションバットを固定することができる。
【０００９】
前記ガイド部は、前記竿本体に設けられ、かつ前記スライダーは、前記エクステンションバットに保持されていることが好ましい。
【００１０】
かかる好ましい構成によれば、スライダーがエクステンションバットに保持されているため、エクステンションバットの竿軸方向におけるスライド動作が円滑となり、グリップ部に対するエクステンションバットの相対位置を位置決めする操作が、さらに容易かつ確実に行える。
【００１１】
【発明の実施の形態】
以下、本発明に係る釣竿の一実施形態について図面を参照しながら説明する。
【００１２】
図１は、本実施形態の釣竿１を示す一部省略側面図である。図１に示すように、この釣竿１は、竿本体３と、該竿本体３に装着されたグリップ２と、該グリップ２の竿元側に前記竿本体３の竿軸方向に沿って進退可能に装着されたエクステンションバット４とを備えている。
【００１３】
前記竿本体３は、細長棒状に形成され、例えば、カーボン繊維に合成樹脂が含浸されてなるカーボンプリプレグを管状に成形する等の従来公知の方法により製造することができる。図示を省略したが、竿本体３には、釣糸を案内するガイド部材が所要の間隔を置いて配置されている。
【００１４】
前記グリップ２は、それぞれ管状に形成されたフロントグリップ２ａと、リアグリップ２ｃと、フロントグリップ２ａとリアグリップ２ｃとの間に介在したリールシート２ｂとを備えている。竿本体３は、フロントグリップ２ａを貫通している。フロントグリップ２ａは、フロントグリップ本体５とフロントフード６とからなり、リールシート２ｂは、フロントフード６に螺着され、該フロントフード６は、フロントグリップ本体５に回転可能に保持されている。リアグリップ２ｃは、リアグリップ本体７とリアフード８とからなり、該リアフード８は、リアグリップ本体７に固定されている。リールシート２ｂは、リアフード８に嵌入されて固定されている。リールシート２ｂには、平坦なリール載置面９が設けられている。この状態で、フロントグリップ本体５を回転させると、フロントグリップ２ａがリールシート２ｂに対して竿軸方向に移動する。リールをグリップ２に装着する際、該リールのフットをリール載置面９に当接させた状態で、フロントグリップ２ａとリアグリップ２ｃとの離間距離を縮めるべく、フロントグリップ本体５を回転させると、フロントフード６とリアフード８との間でリールのフットが挟持されてリールがグリップ２に固定される。尚、これらグリップ２の各構成部材は、従来公知の方法により製造することができる。
【００１５】
図２（イ）は、エクステンションバット４およびリアグリップ本体７の要部を示す断面図であり、図２（ロ）は、図２（イ）のＡ−Ａ‘における断面図である。以下、図２を参照しながら本実施形態の釣竿１についてさらに詳細に説明する。
【００１６】
エクステンションバット４は、釣竿１を操作する際の安定性を高めるチューニング部品であり、図２（イ）に示すように、リアグリップ本体７の竿元側端部に装着されている。エクステンションバット４は、竿元側からリアグリップ本体７の内部に挿入された軸部１０と、該軸部１０の竿元側端部に装着されたパッド部４ａとを備えている。
【００１７】
該軸部１０は、例えば、チタン合金等の金属により構成することができるが、十分な剛性を有する樹脂等により構成することもできる。この軸部１０は、中空パイプ状に形成されており、軸部１０の竿先側には、該竿先側の軸部１０の剛性を向上させるべく、口ゴム１１が嵌入されて固定されている。
【００１８】
前記パッド部４ａは、釣竿１を操作する際に、釣人の肩等、身体の一部に当接させて用いるものである。パッド部４ａは、軸部１０の竿元側に装着されている。パッド部４ａは、略円柱状に形成されており、ウレタン樹脂等によって構成することができる。また、パッド部４ａの端面１２は、凸曲面に形成されているため、パッド部４ａを釣人の肩等に良好に当接させることができる。
【００１９】
前記リアグリップ本体７は、エクステンションバット４の軸部１０が挿通される挿通孔１４が内部に形成された第１管状体１５と、該第１管状体１５の外周を囲んで配設された第２管状体１６と、該第２管状体１６の外周を囲んで配設された第３管状体１７とを備えており、各管状体が同心状でかつ互いに離間した略入れ子構造の筒状の部材である。前記第３管状体１７は、第３管状体本体１７ａと、該第３管状体本体１７ａの外周面に装着されたスリーブ１７ｂとからなる。各管状体は、例えば、カーボン繊維に合成樹脂が含浸されてなるカーボンプリプレグを管状に成形する等の従来公知の方法により製造することができる。また、スリーブ１７ｂは、コルク等を用いて製造することができる。
【００２０】
前記リアグリップ本体７の竿先側には、リアフード８が装着され、リアグリップ２ｃの竿元側端部には、ゴム等からなる尻栓１３が装着されている。リアフード８は、リールシート２ｂの竿元側端面にその内面が当接した大径部８ａと、該大径部８ａに連続して縮径された小径部８ｂとを備えている。尻栓１３は、中央孔１３ｅを有する環状の部材であり、リアグリップ本体７に嵌入される嵌入部１３ａと、該嵌入部１３ａの竿元側に配されてリアグリップ本体７の竿元側端部開口を閉塞する尻栓本体部１３ｂとを備えている。前記嵌入部１３ａは、内径が各々異なり、所定厚みを有する２つの環状部１３ｃ、１３ｄを備え、各環状部が軸中心からこの順で同軸状に配置されて構成されている。
【００２１】
前記リールシート２ｂの竿元側は、リアフード８の大径部８ａの内面と当接しており、また、竿本体３の外周に配された管状体２２がリールシート２ｂとリアフード８との内部を貫通している。該管状体２２の竿元側端面は、リアフード８の小径部８ｂの端面と略面一となっている。更に前記管状体２２の竿元側端面は、第１管状体１５の竿先側端面と当接しており、竿本体３は、第１管状体１５の竿先側端部に嵌入されて固定されている。
【００２２】
前記第１管状体１５の竿先側端部には、所定厚みを有する環状スペーサー１９が外装着され、第１管状体１５の竿元側端部には、尻栓１３の環状部１３ｃが外装着されている。また、環状スペーサー１９の外周面は第２管状体１６の竿先側端部内周面と圧接し、環状部１３ｃの外周面は第２管状体１６の竿元側端部内周面と圧接している。これにより、第１管状体１５が第２管状体１６に固定されると共に、第１管状体１５と第２管状体１６との間に円筒状の空間２１が形成されている。該第１管状体１５の上部には、竿軸方向に延びるスライド溝１８が、環状スペーサー１９の竿元側端部の位置から第１管状体１５の竿元側端縁まで形成され、該端縁から第１管状体１５の竿元側外方に開放された状態となっている。
【００２３】
前記第２管状体１６および前記環状スペーサー１９の竿先側端面は、リアフード８の小径部８ｂの竿元側端面と当接しており、該小径部８ｂの外周面と第２管状体１６の外周面とは略面一となっている。リアフード８の小径部８ｂおよび第２管状体１６の竿先側に所定厚みを有する環状スペーサー２０が外装着され、該環状スペーサー２０の外周面は、第３管状体本体１７ａの竿先側端部内周面と圧接している。また、第２管状体１６の竿元側には、尻栓１３の環状部１３ｃが嵌入され、該尻栓１３の環状部１３ｄが外嵌されている。これにより、第２管状体１６が第３管状体１７に固定されると共に、第２管状体１６と第３管状体１７との間に円筒状の空間２３が形成されている。該第２管状体１６の上部には、竿軸方向に延びるスライド溝２８が、環状スペーサー２０の竿元側端部の位置から第２管状体１６の竿元側端縁まで形成され、該端縁から第２管状体１６の竿元側外方に開放された状態となっている。
【００２４】
図２（イ）および図２（ロ）に示すように、雄ネジ部２６を有するスライダー２４が、エクステンションバット４に保持されている。スライダー２４は、エクステンションバット４の軸部１０に保持されるべく、前記雄ネジ部２６がエクステンションバット４の軸部１０の所定位置に設けられた雌ネジ部２７に螺合されている。更にスライダー２４の雄ネジ部２６は、スライド溝１８に竿軸方向に移動可能に遊挿され、スライダー２４の本体は、スライド溝２８に竿軸方向に移動可能に遊挿されている。かかる構成により、エクステンションバット４の軸部１０が、第１管状体１５の挿通孔１４と尻栓１３の中央孔１３ｅとに挿通された状態で、エクステンションバット４をリアグリップ本体７に対して竿軸方向に進退させると、スライダー２４は、前記エクステンションバット４の進退に伴って、リアグリップ本体７の挿通孔１４と、該挿通孔１４が内部に形成された第１管状体１５と、第１管状体１５に形成されたスライド溝１８と、第１管状体１５と第２管状体１６との間に形成された円筒状の空間２１と、第２管状体１６に形成されたスライド溝２８と、第２管状体１６と第３管状体１７との間に形成された円筒状の空間２３とを備えてなるガイド部に沿って、竿軸方向にスライド移動するようになっている。図２（イ）に示すように、リアグリップ本体７において、スライダー２４の移動可能範囲は、口ゴム１１が嵌入された軸部１０の竿先側が竿本体３の竿元側端面に当接する位置から、スライダー２４の竿元側端面が尻栓１３の嵌入部１３ａの竿先側端面に当接する位置までの範囲に規制されている。また、このようにスライダー２４の移動が規制されているため、エクステンションバット４の進退量も規制されている。
【００２５】
本実施形態では、リアグリップ本体７に竿軸方向に沿って設けられたガイド部と、該ガイド部に沿ってスライド移動するようにエクステンションバット４に保持されたスライダー２４とを備えた位置決め機構によって、エクステンションバット４がリアグリップ２ｃに対して竿軸方向に進退可能となっており、かつ、図１および図２（イ）に示すように、エクステンションバット４の長さＬを調節することで、リアグリップ２ｃに対するエクステンションバット４の相対位置を所望の位置に位置決めすることができる。以下、位置決め機構について詳細に説明する。
【００２６】
図３は、第２管状体１６の一部省略上面図（図２（ロ）の上部から見た図）である。図３に示すように、第２管状体１６のスライド溝２８には、竿軸方向に所定間隔を置いて複数の係合凹部２５、…が設けられている。
【００２７】
図４は、スライダー２４の外観図である。図４に示すように、スライダー２４は、スライダー本体３０と、該スライダー本体３０に固定された雄ネジ部２６（図示せず）と、該スライダー本体３０に収納された板ばね部材３１と、該スライダー本体３０を覆うための蓋部材３３とを備えている。スライダー本体３０は、第２管状体１７のスライド溝２８に竿軸方向に移動可能に遊挿されて、第１管状体１５の外周面と第２管状体１６の内周面との間に挟まれる基部３０ａと、該基部３０ａから突出し、板ばね部材３１を保持する保持部３０ｂとから構成されている。保持部３０ｂには、溝３２が形成され、該溝３２に板ばね部材３１が収納されている。
【００２８】
図５（イ）は、スライダー２４のスライド溝２８へのロック状態を示す図であり、図５（ロ）は、スライダー２４のスライド溝２８へのロック解除状態を示す図である。
【００２９】
図５（イ）に示すように、板ばね部材３１は、１枚の金属の板ばね材を折り曲げることにより形成されており、ほぼ半円状に湾曲した係合凸部３１ａと、該係合凸部３１ａの両端から外側へ張り出す肩部３１ｂ、３１ｂと、該肩部３１ｂ、３１ｂの両端から係合凸部３１ａと逆の方向へ向かって略ハの字状に広がる脚部３１ｃ、３１ｃとを一体的に有している。前記係合凸部３１ａは、スライド溝２８の係合凹部２５（図３）に弾力的に係脱するようになっている。
【００３０】
また、スライダー本体３０の保持部３０ｂの溝３２を区画する側壁の１つ３２ａには孔３２ｂが形成され、該孔３２ｂの中に板ばね部材３１の係合凸部３１ａが嵌め込まれている。板ばね部材３１は、係合凸部３１ａが孔３２ｂの中に嵌め込まれたときに係合凸部３１ａの肩部３１ｂ寄りの部分が孔３２ｂのエッジと接触し、かつ脚部３１ｃの端部が反対側の側壁３２ｃの内面に圧接して、脚部３１ｃに生じるバネ力により溝３２の中に留まるようになっている（この状態を板ばね部材３１の「初期状態」という）。また、スライダー本体３０の保持部３０ｂの上端には一対のフランジ部３０ｃ、３０ｃが形成されている。
【００３１】
前記蓋部材３３の下面両縁部には一対の爪部３３ａ、３３ａが形成されており、該蓋部材３３は、各爪部３３ａによりスライダー本体３０の各フランジ部３０ｃを挟んだ状態で、スライダー２４の移動方向へ挿入することで該スライダー本体３０に装着可能となっている。
【００３２】
本実施形態の釣竿１の位置決め機構においては、図５（イ）に示すように、スライド溝２８の係合凹部２５に板ばね部材３１の係合凸部３１ａが係合しているときは、板ばね部材３１は、前述した初期状態をとり、脚部３１ｃに生じたバネ力により、係合凸部３１ａがスライド溝２８の係合凹部２５に圧接された係合状態となる。したがって、エクステンションバット４のパッド部４ａを釣人の肩等、身体の一部に当接させて釣竿１を操作する際に、エクステンションバット４をリアグリップ本体７の中へ押し込もうとする力やリアグリップ本体７から引き出そうとする力が作用しても、前記係合凸部３１ａと前記係合凹部２５との係合状態がそのまま維持され、スライダー２４の動きが阻止され、該係合凹部２５の位置でエクステンションバット４が固定される。
【００３３】
一方、グリップ２に対してエクステンションバット４を進退させるときは、エクステンションバット４を動かす方向へパッド部４ａを押すだけで簡単に操作できる。例えば、エクステンションバット４を引き出す場合、図５（イ）の状態から前記パッド部４ａを図５の右側へ向かって押せば、板ばね部材３１の係合凸部３１ａの肩部３１ｂ寄りの部分が孔３２ｂのエッジから離反すると共に係合凸部３１ａと係合凹部２５との係合が解かれ、係合凹部２５に対する係合凸部３１ａの位置規制が解除される。そして、パッド部４ａを図５の右側へ押して行くと、図５（ロ）に示すように、板ばね部材３１の係合凸部３１ａが係合凹部２５から完全に外れ、隣接する係合凹部２５、２５の間の山の部分に接触する。そして、更にパッド部４ａを図５の右側へ押して行くと、係合凸部３１ａが前記山の部分を越え、係合凸部３１ａが脚部３１ｃに生じたバネ力により隣の係合凹部２５に収まると共に、手を離せばスライダー２４が該隣の係合凹部２５の位置で確実にロックされる。
【００３４】
本実施形態の釣竿１によれば、エクステンションバット４を所望の位置で固定できると共に、パッド部４ａをエクステンションバット４の進退方向の前後いずれかに押すだけで、エクステンションバット４の長さＬをエクステンションバット４の移動可能範囲で任意の長さとすることができる。さらに、釣竿１の操作時には係合凸部３１ａがスライド溝２８の係合凹部２５から外れないように係合凸部３１ａを板ばね部材３１のバネ力で押圧する構成となっているので、スライダー２４のロック状態を維持できる。これにより、簡単な操作によって、速やかにエクステンションバット４の位置を設定することができ、かつ、設定された位置でエクステンションバット４を固定することができる。
【００３５】
また、本実施形態では、尻栓１３を取り外すことで、エクステンションバット４を該尻栓１３と共にリアグリップ本体７から抜き取ることが可能であり、その抜き取りの後、リアグリップ本体７の竿元側端部に別の尻栓（尻栓１３と同様に嵌入部と本体部とを備えるが、該本体部に中央孔を有さないもの）を装着することができる。
【００３６】
尚、本実施形態においては、エクステンションバット４の竿軸方向におけるスライド動作を円滑にし、グリップ部に対するエクステンションバットの相対位置を設定する操作を、さらに容易かつ確実なものとするため、リアグリップ本体７にガイド部を設け、該ガイド部に沿ってスライド移動するスライダー２４がエクステンションバット４に保持される構成を採用したが、エクステンションバット４にガイド部を設け、該ガイド部に沿ってスライド移動するスライダー２４がリアグリップ本体７に保持される構成であっても本発明の意図する範囲内である。
【００３７】
また、本実施形態においては、スライダー２４に板ばね部材３１を設け、該板ばね部材３１の係合凸部３１ａが、第２管状体１６のスライド溝２８に所定間隔を置いて形成した係合凹部２５と係合した係合状態と、該係合凹部２５との係合が解かれた非係合状態とを取りうる構成とすることで、グリップ２に対するエクステンションバット４の相対位置を所望の位置に位置決めできるようにしたが、本発明においては、スライダーに、例えば、バネやゴムにより出没する樹脂または金属製の係合凸部を設け、該係合凸部がグリップに設けた係合凹部と係合した係合状態と、該係合凹部との係合が解かれた非係合状態とを取りうる構成としてもよい。
【００３８】
【発明の効果】
以上のように、本発明の釣竿によれば、簡単な操作によって、速やかにグリップ部に対するエクステンションバットの相対位置を所望の位置に位置決めすることができる。
【図面の簡単な説明】
【図１】本実施形態の釣竿を示す一部省略側面図である。
【図２】（イ）は、本実施形態のエクステンションバットおよびリアグリップ本体の要部を示す断面図であり、（ロ）は、（イ）のＡ−Ａ‘における断面図である。
【図３】本実施形態の第２管状体の一部省略上面図（図２（ロ）の上部から見た図）である。
【図４】本実施形態のスライダーの外観図である。
【図５】（イ）は、本実施形態のスライダーのスライド溝へのロック状態を示す図であり、（ロ）は、本実施形態のスライダーのスライド溝へのロック解除状態を示す図である。
【図６】従来のトラウトロッドの構成を示す概略図である。
【符号の説明】
１…釣竿、２…グリップ（グリップ部）、２ａ…フロントグリップ、２ｂ…リールシート、２ｃ…リアグリップ、３…竿本体、４…エクステンションバット、４ａ…パッド部、５…フロントグリップ本体、６…フロントフード、７…リアグリップ本体、８…リアフード、８ａ…大径部、８ｂ…小径部、９…リール載置面、１０…軸部、１１…口ゴム、１２…端面、１３…尻栓、１３ａ…嵌入部、１３ｂ…尻栓本体部、１３ｃ…環状部、１３ｄ…環状部、１３ｅ…中央孔、１４…挿通孔、１５…第１管状体、１６…第２管状体、１７…第３管状体、１７ａ…第３管状体本体、１７ｂ…スリーブ、１８…スライド溝、１９…環状体、２０…環状体、２１…空間、２２…管状体、２３…空間、２４…スライダー、２５…係合凹部、２６…雄ネジ部、２７…雌ネジ部、２８…スライド溝、３０…スライダー本体、３０ａ…基部、３０ｂ…保持部、３０ｃ…フランジ部、３１ａ…係合凸部、３１ｂ…肩部、３１ｃ…脚部、３１…板ばね部材、３２…溝、３２ａ…側壁、３２ｂ…孔、３２ｃ…側壁、３３…蓋部材、３３ａ…爪部、１０１…ロッド、１０２…グリップ、１０３…ロッド本体、１０４…エクステンションバット
【図１】
2004261074.tif 000003
【図２】
2004261074.tif 000004
【図３】
2004261074.tif 000005
【図４】
2004261074.tif 000006
【図５】
2004261074.tif 000007
【図６】
2004261074.tif 000008